(57)【特許請求の範囲】
【請求項１】
印刷用紙のセット状態を案内する案内イメージを記憶するイメード記憶手段と、
裏面印刷時に給紙されることで前記印刷用紙を所定量搬送する搬送手段と、
既にデータ印刷されている既印刷用紙に対して再印刷が指示された際に、その印刷用紙に印刷されている印刷済みデータの一部と前記案内イメージとを合成する合成手段と、
前記合成手段によって合成された前記印刷済みデータと前記案内イメージとを当該印刷用紙のセット状態を案内する案内データとして表示する表示手段と、
前記表示手段によって当該印刷用紙の状態が案内表示された後に印刷を開始するための操作が行なわれた際は前記搬送手段で搬送された前記印刷用紙の所定量分を逆に搬送して裏面印刷を開始させる制御手段と、
を具備したことを特徴とする印刷案内出力装置。
【発明の詳細な説明】
【０００１】
【発明の属する技術分野】
この発明は、印刷用紙のセット状態を案内する印刷案内出力装置およびそのプログラム記録媒体に関する。
【０００２】
【従来の技術】
従来、複数枚の印刷用紙の表裏両面にそれぞれ左右２頁分のデータを印刷し、それを綴じて冊子にする場合において、高価な上級機種のワードプロセッサーやコピー機には、複数の印刷用紙の表裏両面にそれぞれ左右２頁分のデータを一度に印刷することができるようになっている。つまり、この種のものには、用紙の表面側の他、その裏面側にも印字ヘッド等を有する構成となっているため、複数枚の印刷用紙を一度セットするだけで、各印刷用紙の表裏両面に複数頁分の印刷を同時に行うことができるようになっている。
これに対して比較的安価なワードプロセッサ等において、印字ヘッド等は用紙の片面側のみしか設けられていないため、複数枚分の用紙に対して表面印刷を行った後、頁の繋がり具合を考慮して用紙を並べ替え、再度用紙をセットして裏面印刷を行うようにしている。つまり、表面印刷と裏面印刷とを時間的にずらして別個に行うようにしている。
【０００３】
【発明が解決しようとする課題】
しかしながら、表面印刷と裏面印刷とを分けて行う場合、オペレータは各用紙を裏返しにして逆順に並び替え、頁の繋がり具合を確認しながら用紙をセットするようにしているが、その際、用紙一枚分のセット方向や並び順を間違えただけでも、表面印刷と裏面印刷との対応関係が崩れてしまうため、最初の表面印刷から全てやり直さなければならない場合があり、印刷時間や用紙の無駄となる他、オペレータに多大の労力を要求することになる。このことは、冊子印刷を行う場合に限らず、単に用紙の表裏両面に印刷する場合等においても同様であった。
この発明の課題は、既にデータ印刷されている既印刷用紙に対して印刷が指示された際に、用紙をどのような状態でセットすべきかをイメージデータによって案内表示することで、用紙のセット状態を直感的に把握できるようにすることである。
【０００４】
【課題を解決するための手段】
この発明の手段は次の通りである。
印刷用紙のセット状態を案内する案内イメージを記憶するイメージ記憶手段と、裏面印刷時に給紙されることで前記印刷用紙を所定量搬送する搬送手段と、既にデータ印刷されている既印刷用紙に対して再印刷が指示された際に、その印刷用紙に印刷されている印刷済みデータの一部と前記案内イメージとを合成する合成手段と、前記合成手段によって合成された前記印刷済みデータと前記案内イメージとを当該印刷用紙のセット状態を案内する案内データとして表示する表示手段と、前記表示手段によって当該印刷用紙の状態が案内表示された後に印刷を開始するための操作が行なわれた際は前記搬送手段で搬送された前記印刷用紙の所定量分を逆に搬送して裏面印刷を開始させる制御手段とを備えるものである。
【０００５】
従って、この発明によれば、既にデータ印刷されている既印刷用紙に対して再印刷が指示され給紙された際に、前記用紙の一部が視読可能となる状態に用紙を搬送し、前記用紙に印刷されている印刷済みデータの一部と前記案内イメージとを合成して、前記合成されたデータを当該用紙の状態を案内する案内データとして表示し、当該用紙の状態が案内表示された後に所定操作が行なわれることで前記用紙を通常状態に搬送して印刷を開始させることができる。
【０００６】
【発明の実施の形態】
（第１実施形態）
以下、図１〜図９を参照してこの発明の第１実施形態を説明する。
図１（Ａ）は、この実施形態におけるデータ処理装置の全体構成を示したブロック図である。
このデータ処理装置は冊子印刷が可能なワードプロセッサで、複数の印刷用紙の表裏両面にそれぞれ左右２頁分のデータを印刷し、それを綴じて冊子にする場合において、表面印刷と裏面印刷とを別々に行うようにしたものであり、表面印刷後において、裏面印刷を行う際に用紙を正しい状態にセットできるように、用紙のセット方向を直感的に把握可能なイメージデータとガイダンスデータとによって案内表示するようにしたことを特徴としている。
なお、この実施形態の特徴部分を詳述する前に、この実施形態のハードウェア上の構成について以下、説明しておく。
【０００７】
ＣＰＵ１は、記憶装置２内のオペレーティングシステムや各種アプリケーションソフトにしたがってこのデータ処理装置の全体動作を制御する中央演算処理装置である。記憶装置２は、オペレーティングシステムや各種アプリケーションソフトの他、データベース、文字フォント等が格納され、磁気的、光学的、半導体メモリ等によって構成されている記録媒体３やその駆動系を有している。この記録媒体３はハードディスク等の固定的な媒体若しくは着脱自在に装着可能なＣＤ−ＲＯＭ、フロッピィデスク、ＲＡＭカード、磁気カード等の可搬型の媒体である。また、この記録媒体３内のプログラムやデータは、必要に応じてＣＰＵ１の制御によりＲＡＭ（例えば、スタティクＲＡＭ）４にロードされたり、ＲＡＭ４内のデータが記録媒体３にセーブされる。更に、記録媒体はサーバ等の外部機器側に設けられているものであってもよく、ＣＰＵ1は伝送媒体を介してこの記録媒体内のプログラム／データを直接アクセスして使用することもできる。
また、ＣＰＵ１は記録媒体３内に格納されるその一部あるいは全部を他の機器側から伝送媒体を介して取り込み、記録媒体３に新規登録あるいは追加登録することもできる。すなわち、コンピュータ通信システムを構成する他の機器から通信回線やケーブル等の有線伝送路あるいは電波、マイクロウエーブ、赤外線等の無線伝送路を介して送信されてきたプログラム／データを伝送制御部５によって受信して記録媒体３内にインストールすることができる。更に、プログラム／データはサーバ等の外部機器側で記憶管理されているものであってもよく、ＣＰＵ１は伝送媒体を介して外部機器側のプログラム／データを直接アクセスして使用することもできる。
【０００８】
このようにＣＰＵ1は、予め固定的に常駐されているプログラム／データに限らず、記録媒体や伝送媒体を介して外部供給されたプログラム／データを利用して、あるいは外部機器側で記憶管理されているプログラム／データを直接利用してこの実施形態特有の動作を実行することもできる。一方、ＣＰＵ１にはその入出力周辺デバイスである伝送制御部５、入力部６、表示部７、印字部８がバスラインを介して接続されており、入出力プログラムにしたがってＣＰＵ１はそれらの動作を制御する。伝送制御部５は、例えば、通信モデムや赤外線モジュールあるいはアンテナ等を含む通信インターフェイスである。入力部６はキーボードやタッチパネルあるいはマウスやタッチ入力ペン等のポインティングデバイスを構成する操作部であり、文字列データや各種コマンドを入力する。なお、表示部７は、フルカラー表示を行う液晶やＣＲＴあるいはプラズマ表示装置等である。印字部８は自動給紙装置付のプリンタであり、熱転写やインクジェット等のノンインパクトプリンタあるいはドットインパクトプリンタによって構成され、そのトレーに複数枚分の用紙がセットされている状態において冊子印刷が行われる。
【０００９】
図１（Ｂ）は、記憶装置2やＲＡＭ４の一部を示した図で、テキストファイルＡ、冊子印刷頁配置ファイルＢ、イメージファイルＣ、案内データファイルＤを有している。テキストファイルＡは冊子印刷用として作成された複数頁分の文書データを印刷対象として記憶するもので、冊子印刷時にその内容は1頁ずつ呼び出されて印刷出力される。冊子印刷頁配置ファイルＢは複数用紙の表裏両面のどの位置にどの頁のデータを印刷するかを管理するもので、図２はこの冊子印刷頁配置ファイルＢのデータ構造を示している。すなわち、冊子印刷頁配置ファイルＢを構成する各レコードは、「枚数」、「左ページ」、「左ページ白紙フラグ」、「右ページ」、「右ページ白紙フラグ」の各項目を有し、各レコードはその「枚数」の項目に設定されている“1枚目表”、“1枚目裏”、“２枚目表”、“２枚目裏”‥‥“Ｎ枚目表”、“Ｎ枚目裏”の並び順と成っている。
「左ページ」、「右ページ」は用紙の左頁／右頁位置に印刷される頁数を示している。なお、この場合、用紙１枚に４頁分、つまり、表面の左右に2頁分、裏面の左右に２頁分のデータを印刷するようにしているため、印刷枚数は「４」で割り切れる値となる。すなわち、印刷対象の全頁数に基づいて求められた印刷枚数が「４」で割り切れない値となった場合、割り切れるまで頁数を追加し、割り切れた値となった時、それを今回の印刷頁としている。「左ページ白紙フラグ」、「右ページ白紙フラグ」は用紙の左頁／右頁位置に印刷されるデータが有るか、つまり、白紙頁かを示すフラグであり、印刷対象の全頁数に基づいて求められた印刷枚数が「４」で割り切れるまで頁数を追加した場合には、その追加頁には「白紙有り」がセットされる。
【００１０】
いま、図３（Ａ）に示すように用紙３枚を用いて全１２頁分の冊子を作成するものとする。この場合、図３（Ｂ）は表面印刷時において、各用紙の表面に割り当てられる頁数を示している。すなわち、１枚目の表において、その「左ページ」は１２頁目、「右ページ」は１頁目が割り当てられ、２枚目の表において、その「左ページ」は１０頁目、「右ページ」は３頁目が割り当てられ、更に３枚目の表において、その「左ページ」は８頁目、「右ページ」は５頁目が割り当てられる。
このような表面印刷後の裏面印刷時において、オペレータは各用紙を裏返しにして逆順に並び替え、頁の繋がり具合を確認しながら用紙を自動給紙装置のトレーにセットし直し、裏面印刷を実行すると、各用紙の裏面に割り当てられる頁数は、図３（Ｃ）に示すようになる。すなわち、１枚目の裏において、その「左ページ」は２頁目、「右ページ」は１１頁目が割り当てられ、２枚目の裏において、その「左ページ」は４頁目、「右ページ」は９頁目が割り当てられ、更に３枚目の裏において、その「左ページ」は６頁目、「右ページ」は７頁目が割り当てられる。
【００１１】
イメージファイルＣは自動給紙装置のトレーイメージとそれにセットされている状態の用紙イメージとを組み合わせてなるもので、トレーに用紙をどの方向にセットすればよいかを案内する。すなわち、図７〜図９はこの場合の案内表示画面を例示した図で、イメージファイルＣから呼び出されたイメージデータは、トレーイメージと、このトレー内にセットされた用紙イメージとを組み合わせてなると共に、その用紙の左上角部を折り曲げた状態と成っている。この折り曲げ部には用紙表面に印刷されたデータを出現表示するようにしている。
案内データファイルＤは用紙のセツト方向の案内表示時に出力されるメッセージ文（文字列データ）を記憶するもので、現在の印刷枚数に応じて種類の異なる複数のメッセージ文が記憶されている。この場合、図７〜図９の案内表示画面で示したように、上述したイメージ表示の右側の表示枠内に所定の操作ガイダンスを示すメッセージ文が表示される。
【００１２】
次に、この第１実施形態における冊子印刷時の動作を図４〜図６に示すフローチャートを参照して説明する。ここで、これらのフローチャートに記述されている各機能を実現するためのプログラムは、読み取り可能なプログラムコードの形態で記録媒体３に格納されており、ＣＰＵ１はこのプログラムコードにしたがった動作を逐次実行する。また、ＣＰＵ１は伝送媒体を介して伝送されてきた上述のプログラムコードにしたがった動作を逐次実行することもできる。このことは後述する他の実施形態においても同様であり、記録媒体の他、伝送媒体を介して外部供給されたプログラム／データを利用してこの実施形態特有の動作を実行することもできる。
【００１３】
図４は、冊子印刷時の全体動作の概要を示したフローチャートである。
先ず、冊子印刷頁配置データ作成処理が実行される（ステップＡ１）。この配置データ作成処理は印刷対象の文書データの全頁数にしたがって冊子印刷頁配置ファイルＢを作成するもので、各用紙の表裏両面の左右にどの頁を割り当てるかを示す冊子印刷頁配置データが作成される。この場合、上述したように用紙１枚に４頁分のデータを印刷するようにしているため、印刷対象の頁数に基づいて求められた印刷枚数が「４」で割り切れない値となった場合、割り切れるまで頁数の追加が行われる。これによって冊子印刷頁配置ファイルＢが作成されると、この冊子印刷頁配置ファイルＢを参照し、各用紙に対して通常の表面印刷が行われる（ステップＡ２）。そして、表面印刷終了後、裏面印刷を開始する前に用紙のセット状態を案内するヘルプ表示処理が行われる（ステップＡ３）。
【００１４】
図５は、このヘルプ表示処理を詳述したフローチャートである。
先ず、印刷対象の頁数に基づいて求められた印刷枚数をＲＡＭ４内のＮレジスタ（図示せず）にセットしておく（ステップＢ１）。いま、図３に示したように全１２頁の冊子印刷を行うものとすると、この印刷対象の頁数に基づいて求められた印刷枚数は「３」であるから、Ｎレジスタにはその初期値として「３」がセツトされる。そして、このＮレジスタの値で示されるＮ枚目の用紙のセット方向を案内表示する処理が行われる（ステップＢ２）。
図６は、この案内表示処理を詳述したフローチャートである。
すなわち、イメージファイルＣからトレーイメージと用紙イメージとを組み合わせたイメージを読み出すと共に（ステップＣ１）、Ｎレジスタの値で示されるＮ枚目の右頁の文書データをテキストファイルＡから読み出し（ステップＣ２）、この文書データの右下部分（用紙を折り曲げた三角状の部分）に対応するデータを切出してイメージ表示の該当部分に貼り付け合成する（ステップＣ３）。これによって合成されたデータは案内表示画面にイメージ表示される（ステップＣ４）。
【００１５】
この場合、図７〜図９に示すように例えば、Ｂ４サイズの用紙を縦長の状態でセットし、かつ、その上下関係は図示のように用紙表面の右側の頁が上となるようにセツトすべきことが示される。
そして、現在の印刷枚数に基づいたメッセージ文を選択表示するために、Ｎレジスタ内の値は印刷枚数に達したかを調べ（ステップＣ５）、印刷枚数に達していなければ、Ｎレジスタ内の値は「１」かを調べるが（ステップＣ６）、最初はＮレジスタに印刷枚数がセツトされているので、ステップＣ５でそのことが検出されてステップＣ７に進み、図７に示す案内画面▲１▼の操作ガイダンスが表示される。この場合、画面のように用紙をセツトすべき旨のガイダンス表示と上カーソルキーで次の用紙のセツト案内画面に切り替わる旨のガイダンス表示が行われる。
【００１６】
そして、図５のフローチャートに戻り、上カーソルキーが操作されるまで待機状態となり（ステップＢ３）、上カーソルキーが操作されると、Ｎレジスタの値をマイナス「１」するデクリメント処理が行われると共に（ステップＢ４）、Ｎレジスタの値は「１」に到達したかを調べる（ステップＢ５）。いま、Ｎレジスタの値は初期値「３」から「２」にデクリメントされた場合であるから、ステップＢ６に進み、このＮレジスタの値で示されるＮ枚目の用紙のセット方法を案内表示する処理が図６のフローチャートにしたがって行われる。いま、Ｎレジスタの値は「２」であるから、図８に示すような案内画面▲２▼に切り換えられ（ステップＣ９）、上カーソルキーで次の用紙のセツト案内画面に切り替わる旨のガイダンス表示の他、下カーソルキーで前のセット画面に切り替わる旨のガイダンス表示が行われる。ここで、図５のフローチャートにおいて、上／下カーソルキーの操作待ち状態で（ステップＢ７、Ｂ８）、下カーソルキーが操作されると、Ｎレジスタに「１」を加算するインクリメント処理が行われ（ステップＢ９）、その値が印刷枚数まで戻ったかを調べ（ステップＢ１０）、印刷枚数未満であれば、ステップＢ６の案内表示に戻り、印刷枚数となれば、ステップＢ２の案内表示に戻る。また、上カーソルキーが操作されると、ステップＢ４のデクリメント処理に戻る。
【００１７】
これによって、Ｎレジスタの値が「１」となると、ステップＢ５でそのことが検出されてステップＢ１１に進み、このＮレジスタの値で示されるＮ枚目の用紙のセット方法を案内表示する処理が図６のフローチャートにしたがって行われる。いま、Ｎレジスタの値は「１」であるから、ステップＣ６でそのことが検出され、図９に示すような案内画面▲３▼が表示される（ステップＣ８）。ここでは、下カーソルキーで前のセット画面に切り替わる旨のガイダンス表示が行われる他、実行キーで印刷が開始される旨のガイダンス表示が行われる。ここで、図５フローチャートにおいて、下カーソルキーが操作された場合には（ステップＢ１２）、Ｎレジスタの値をインクリメントするためにステップＢ９に戻るが、実行キーが操作された場合には（ステップＢ１３）、このヘルプ表示の終了となって図４のステップＡ４に進み、裏面印刷が開始される。
【００１８】
以上のように、この第１実施形態おいては、複数の印刷用紙の表裏両面にそれぞれ左右２頁分のデータを印刷することによって冊子印刷を行う場合に、各用紙の表面にデータ印刷された既印刷用紙の裏面に対する再印刷が指示された際に、各用紙毎にその用紙表面に印刷されている印刷済みデータの一部と案内イメージとを合成して表示出力するよするようにしたから、用紙のセット順やセット方向を直感的に分かりや易く案内することができ、用紙を正しくセットすることが可能となり、冊子印刷が確実なものとなる。この場合、各印刷済み用紙を裏返しにしてトレー上に順次重ねてゆくが、その際、表面印刷されたデータの一部が出現するように用紙の角部を折り曲げた状態の案内表示が行われるので、用紙のセット順やセット方向の確認が一層確かなものととなる。
なお、上述した第１実施形態においては、自動給紙装置のトレーに複数枚の用紙を束ねてセツトする場合を示したが、用紙を１枚ずつセットして表面印刷を行った後、その用紙の裏面のセット方向を案内するようにしてもよい。
【００１９】
（第２実施形態）
以下、この発明の第２実施形態について図１０を参照して説明する。なお、上述した第１実施形態は、白黒印刷、カラー印刷かを問わず、単に表面印刷と裏面印刷とに分けて印刷を行うようにしたが、この第２実施形態は冊子の一部の頁のみにカラー印刷が指定されている場合、先ず、白黒の表面印刷、裏面印刷を行った後、カラーの表面印刷、裏面印刷を行うようにしているが、その際、白黒の裏面印刷時、カラーの表面印刷時、裏面印刷時に上述のヘルプ表示を行うようにしたものである。ここで、両実施形態において基本的に同一のものは、同一符号を付して示し、その説明を省略する他、以下、第2実施形態の特徴部分を中心に説明するものとする。
【００２０】
図１０は、冊子印刷時の動作を示したフローチャートである。
先ず、上述した第１実施形態と同様の冊子印刷頁配置データ作成処理が行われる（ステップＤ１）。そして、白黒印刷モードを指定し（ステップＤ２）、白黒の表面印刷を開始させるが、その前に冊子印刷頁配置ファイルＢの内容を変更する処理が行われる（ステップＤ３〜Ｄ７）。すなわち、ステップＤ１の冊子印刷頁配置データ作成処理で作成された頁数をＰレジスタ（図示せず）にセットし（ステップＤ３）、このＰレジスタの値で示される頁はカラー頁かを判別し（ステップＤ４）、カラー頁であれば、冊子印刷頁配置ファイルＢ内の該当レコードに白紙フラグをセットする（ステップＤ５）。そして、Ｐレジスタの値をマイナス「１」する処理を行い（ステップＤ６）、その値が「０」かを調べ（ステップＤ７）、全頁分を指定し終わるまで、ステップＤ４に戻り、上述の動作を繰り返す。これによってＰレジスタの値が「０」となると、表面印刷処理が実行されるが（ステップＤ８）、この場合、白紙フラグがセツトされている頁の白黒印刷はスキップされる。
このような表面白黒印刷が行われると、上述したヘルプ表示が開始される（ステップＤ９）。このヘルプ表示を確認しながら用紙をセツトすると、裏面色黒印刷が行われる（ステップＤ１０）。この場合においても、白紙フラグがセツトされている頁の白黒印刷はスキップされる。
【００２１】
次に、カラー印刷モードが指定されるが（ステップＤ１１）、この場合においても、冊子印刷の頁数がＰレジスタにセットされ（ステップＤ１２）、このＰレジスタの値で示される頁はカラー頁かを判別し（ステップＤ１３）、カラー頁であれば、冊子印刷頁配置ファイルＢ内の該当レコードにセットされている白紙フラグをリセットするが（ステップＤ１４）、白黒頁であれば、該当レコードに白紙フラグをセットする（ステップＤ１５）。そして、Ｐレジスタの値をマイナス「１」する処理を行い（ステップＤ１６）、その値が「０」かを調べ（ステップＤ１７）、全頁分を指定し終わるまで、ステップＤ１３に戻り、上述の動作を繰り返す。これによってＰレジスタの値が「０」となると、上述したヘルプ表示が行われる（ステップＤ１８）。そして、表面カラー印刷が実行された後（ステップＤ１９）、再び、上述したヘルプ表示が行われる（ステップＤ２０）。そして、裏面カラー印刷が行われる（ステップＤ２１）。
【００２２】
以上のように、この第２実施形態おいては、白黒頁にカラー頁が混在していても、白黒印刷とカラー印刷とを分けて行うようにしたから、白黒印刷を高価なインクリボンやインクを使用せず、黒専用のリボンやインクを使用することができるので、ランニングコストを低減することが可能となると共に、印刷を分けて行ったとしても上述の案内表示が行われるため、用紙のセット間違いを回避することが可能となる。
なお、上述した第２実施形態は、白黒印刷、カラー印刷を頁単位毎に行う場合、１頁中の一部のみがカラー指定されていれば、その頁全体をカラー頁としてみなしてもよい。
【００２３】
（第３実施形態）
以下、この発明の第３実施形態について図１１および図１２を参照して説明する。なお、上述した第１実施形態は、用紙をセットする前にヘルプ表示によつて用紙のセット方向を案内するようにしたが、この第３実施形態は、用紙がセットされた後に用紙を半分強制排紙し、この状態と正しいセット状態とを照合確認できる案内表示を行うようにしたものである。ここで、両実施形態において基本的に同一のものは、同一符号を付して示し、その説明は省略するものとする。
【００２４】
図１１は、冊子印刷の表面印刷後に実行開始される裏面印刷時の動作を示したフローチャートである。
先ず、給紙待ち状態において（ステップＥ１）、給紙されると、１／２用紙を強制排紙させ（ステップＥ２）、チェック画面表示を行う（ステップＥ３）。図１２はこのチェック画面を示した図で、プリンタカバー部と用紙半分が排紙された状態のイメージにその排紙部分の既印刷面のデータが合成表示されたチェック画面には、所定のガイダンスが表示される。このガイダンスは用紙のセット状態確認メッセージと正しくセットされていることを確認した後に実行キーを操作して印刷を開始すべきことを示すガイダンスが表示される。ここで、実行キー／解除キーの操作待ちとなり（ステップＥ４）、解除キーが操作された場合には（ステップＥ５）、用紙を排出させた後（ステップＥ１０）、用紙の再セットを促すガイダンスを表示出力する（ステップＥ１１）。そして、ステップＥ１に戻り、給紙待ちとなる。
【００２５】
一方、実行キーが操作された場合には（ステップＥ５）、用紙を１／２逆排紙させ、通常のセット状態に戻した後（ステップＥ６）、裏面印刷を開始させる（ステップＥ７）。そして、印刷枚数をマイナス「１」すると共に（ステップＥ８）、印刷枚数が「０」になったかを調べ（ステップＥ９）、「０」になるまでステップＥ１に戻り、上述の動作を繰り返す。
以上のように、この第３実施形態においては、用紙がセットされた後に用紙を半分強制排紙し、この状態とチェック画面とを照合確認するようにしたから、用紙を正しく状態でセットすることが可能となる。
なお、上述した第３実施形態は、用紙を１／２排紙するようにしたが、既印刷面の極一部だけを確認することができればよく、その排紙量は１／４、１／５程度であってもよい。
【００２６】
なお、上述した各実施形態は、冊子印刷を行う場合に、片面に左右２ページ分の印刷を行うようにしたが、左右４頁分の印刷を行うようにしてもよい。また、冊子印刷に限らず、単なる両面印刷を行う場合であってもよい。更に、両面印刷に限らず、表面印刷だけでも適用可能であり、用紙表面に白黒印刷を行った後に、上述のヘルプ表示を行い、カラー印刷部分をその表面に追加印刷するようにしてもよい。
また、このデータ処理装置はスタンド・アローン・タイプに限らず、この発明の各構成要素が２以上の筐体に物理的に分離され、通信回線やケーブル等の有線伝送路あるいは電波、マイクロウエーブ、赤外線等の無線伝送路を介してデータを送受信する分散型のコンピュータ通信システムを構成するものであってもよい。その他、この発明を逸脱しない範囲内において各種の変形応用が可能である。
【００２７】
【発明の効果】
従って、この発明では、既にデータ印刷されている既印刷用紙に対して再印刷が指示された際に前記用紙に印刷されている印刷済みデータの一部が視読可能となる状態に用紙を搬送するとともに、イメージデータによって用紙のセット方向を案内表示するようにしたから、冊子印刷のような複雑な印刷を行う場合であっても、用紙が正しくセットされているかを直感的に把握することができ、用紙のセット方向を間違えることなく印刷することが可能となる。
【図面の簡単な説明】
【図１】（Ａ）は、冊子印刷が可能なデータ処理装置の全体構成を示したブロック図、
（Ｂ）は、記憶装置2やＲＡＭ４の一部を示した図。
【図２】冊子印刷頁配置ファイルＢのデータ構造を示した図。
【図３】（Ａ）は、用紙３枚を用いて全１２頁分の冊子を作成する場合を例示した図、
（Ｂ）は表面印刷時において、各用紙の表面に割り当てられる頁数を示した図、
（Ｃ）は裏面印刷時において、各用紙の裏面に割り当てられる頁数を示した図。
【図４】冊子印刷時の全体動作の概要を示したフローチャート。
【図５】図４のステップで示したヘルプ表示処理を詳述するフローチャート。
【図６】図５のステップＢ２、Ｂ６、Ｂ１１で示した案内表示処理を詳述するフローチャート。
【図７】案内画面▲１▼を示した図。
【図８】案内画面▲２▼を示した図。
【図９】案内画面▲３▼を示した図。
【図１０】第２実施形態における冊子印刷時の動作を示したフローチャート。
【図１１】第３実施形態において冊子印刷の表面印刷後に実行開始される裏面印刷時の動作を示したフローチャート
【図１２】チェック画面を示した図。
【符号の説明】
１  ＣＰＵ
２  記憶装置
３  記録媒体
５  伝送制御部
６  入力部
７  表示部
８  印字部
Ａ  テキストファイル
Ｂ  冊子印刷頁配置ファイル
Ｃ  イメージファイル
Ｄ  案内データファイル
【図１】
0004003359.tif 000002
【図２】
0004003359.tif 000003
【図３】
0004003359.tif 000004
【図４】
0004003359.tif 000005
【図５】
0004003359.tif 000006
【図６】
0004003359.tif 000007
【図７】
0004003359.tif 000008
【図８】
0004003359.tif 000009
【図９】
0004003359.tif 000010
【図１０】
0004003359.tif 000011
【図１１】
0004003359.tif 000012
【図１２】
0004003359.tif 000013